(57)【要約】【課題】同一時刻情報が付加された画像ファイルについて、撮影時刻の区別ができるようにする。【解決手段】Ｓ１００でＣＰＵとデジタルカメラの時間を合わせる。Ｓ１０１で実際に複数回の撮影が行われる。Ｓ１０２で画像ファイルが転送され、Ｓ１０３で画像ファイリング側で入力した画像ファイルをファイル名でソートがかけられる。これで作成順に並び替えられる。Ｓ１０４で同一作成時刻があるかを調べ、Ｓ１０５で同一時刻のファイルがあればＳ１０６に進み、１秒を撮影した数で分割して分割時間を求める。Ｓ１０７で分割した時刻情報を同一ファイルの作成時刻情報に加え、同一時刻ファイルに付いて同様の処理を繰り返す。同一作成時刻がなければ、Ｓ１０８で画像ファイリングデータベースに、画像ファイル及び更新された撮影日時情報で登録が行われる。【選択図】　　　　図６
2004105594.tif 000002
【特許請求の範囲】
【請求項１】
撮像した画像データに第１の撮像時間情報を付加した画像ファイルを生成する撮像手段と、該撮像手段からの該画像ファイルに生成された順にファイル名を付加するファイル名付加手段と、前記ファイル名と前記第１の撮像時間情報に基づいて第２の撮像時間情報に変換する変換手段とを有することを特徴とする眼科用撮像装置。
【請求項２】
撮像した画像データに第１の撮像時間情報を付加した画像ファイルを生成すると共に該画像ファイルの生成順にファイル名を付加する撮像手段と、該撮像手段からの前記画像ファイルのファイル名と前記第１の撮像時間情報に基づいて第２の撮像時間情報に変換する変換手段とを有することを特徴とする眼科用撮像装置。
【請求項３】
前記変換手段は同一の撮影時刻情報を持つ前記画像ファイルに対して変換処理を行うことを特徴とする請求項１又は２に記載の眼科用撮像装置。
【請求項４】
前記第２の撮影時刻情報は、前記第１の撮影時刻情報よりも分解能が高い下位情報であることを特徴とする請求項３に記載の眼科用撮像装置。
【発明の詳細な説明】
【０００１】
【発明の属する技術分野】
本発明は、眼科医院、集団検診、人間ドックなどにおいて眼底検査等に使用される眼科撮影装置に関し、特に撮影された画像ファイルの作成時刻の管理に関するものである。
【０００２】
【従来の技術】
デジタルカメラでは、撮影した画像を画像ファイルとして本体内のバッファメモリ又は例えばＣＦカードメモリやＰＣカードメモリなどのファイルシステムで管理された記録媒体に保持或いは保存している。先ず、撮影された画像は所定の画像ファイルとして生成される。この画像ファイルには撮影条件や撮影日時情報が画像データと共に記憶されバッファメモリ上に置かれる。
【０００３】
その後、バッファメモリ上の画像ファイルを本体内の記録媒体に保存する場合には、撮影した順にファイル名が所定の規則（昇順）に従って順次に生成され、例えば「ＡＢＣ−１２３４．ｊｐｇ」、「ＡＢＣ−１２３５．ｊｐｇ」、「ＡＢＣ−１２３６．ｊｐｇ」のように作られ、同時にファイルの更新日付時間も付加され、記憶媒体で管理される。
【０００４】
デジタルカメラでは、この更新日付時間や画像ファイル内に書かれた撮影日時情報を秒単位で管理している。また、外部に接続された眼科用ファイリング装置にバッファメモリから転送する場合には、眼科用ファイリング装置側で受信した順番に所定の規則（昇順）に従ったファイル名が振られ、眼科用ファイリング装置内の記憶媒体に記憶される。このときも同様に、画像ファイルは秒単位の更新時間で管理される。
【０００５】
【発明が解決しようとする課題】
近年、デジタルカメラの撮影速度は高速化し、１秒間の間に２〜５コマ程度まで撮影できるようになっている。このようなカメラを眼科用撮影装置に接続して、眼科用ファイリング装置で撮像した画像を管理する場合に、撮影日時情報からは画像の区別が困難になるという問題が発生する。
【０００６】
眼科用ファイリングシステムでは、蛍光造影撮影の画像を管理するため画像の生成日付時間の管理は、例えばミリ秒単位から１０ミリ秒単位の範囲で精密に行われている。これは蛍光剤を静注開始時刻と撮影時刻との差が診断上重要な意味を持つためである。
【０００７】
前述のデジタルカメラで１秒間に３コマ撮影撮影すると、３枚共に生成日付時間が同一になるため、眼科用ファイリングシステムで管理できないという問題が生ずる。更に、蛍光造影を開始してからの精密な撮影時間が分からなくなり、蛍光造影画像の読影に誤りを生ずる可能性がある。
【０００８】
本発明の目的は、上述の問題点を解消し、１秒間の間に撮影された複数の画像に、秒単位以下の時間情報を付加して区別し得るようにした眼科用撮像装置を提供することにある。
【０００９】
【課題を解決するための手段】
上記目的を達成するための本発明に係る眼科用撮像装置は、撮像した画像データに第１の撮像時間情報を付加した画像ファイルを生成する撮像手段と、該撮像手段からの該画像ファイルに生成された順にファイル名を付加するファイル名付加手段と、前記ファイル名と前記第１の撮像時間情報に基づいて第２の撮像時間情報に変換する変換手段とを有することを特徴とする。
【００１０】
また、本発明に係る眼科用撮像装置は、撮像した画像データに第１の撮像時間情報を付加した画像ファイルを生成すると共に該画像ファイルの生成順にファイル名を付加する撮像手段と、該撮像手段からの前記画像ファイルのファイル名と前記第１の撮像時間情報に基づいて第２の撮像時間情報に変換する変換手段とを有することを特徴とする。
【００１１】
【発明の実施の形態】
本発明を図示の実施の形態に基づいて詳細に説明する。
図１は全体構成を示し、基台１上には眼底カメラ本体２が移動自在に載置され、眼底カメラ本体２の被検眼Ｅ側には対物レンズ鏡筒３、検者側にはデジタルカメラ４が取り付けられている。デジタルカメラ４内には、撮像センサ４ａと信号処理部４ｂが内蔵され、信号処理部４ｂの出力は接続ケーブル５により、ＣＰＵユニット６、モニタ７から成る画像フィリングシステムに接続されている。また、基台１上には操作桿８が設けられている。
【００１２】
操作桿により被検眼Ｅと眼底カメラ本体２の位置合わせを行い、アライメントが合うと操作桿８の先頭部にある撮影スイッチを押すと、眼底カメラ本体２の内部の撮影光源が発光し、被検眼Ｅの眼底を照明する。
【００１３】
眼底からの反射光束は対物レンズ鏡筒３から入射し、デジタルカメラ４の撮像センサ４ａに結像され、信号処理部４ｂで眼底画像データが生成されるように、眼底カメラ本体２からデジタルカメラ４へ同期制御が行われる。また信号処理部４ｂには、画像データに撮影条件情報及び撮影日時情報を付加して画像ファイルを生成する変換部、画像ファイルを記憶する記憶部、画像ファイルなどを外部へ転送する転送部が装備されている。ＣＰＵユニット６とモニタ７から構成される眼科用ファイリングシステムで、接続ケーブル５を介して、画像ファイルを入力し、入力した順番に昇順にファイル名を振って画像管理データベースに登録する処理を行う。
【００１４】
また図１の構成で、デジタルカメラ４に画像ファイルを記録する例えばコンパクトフラッシュ（登録商標）カードやメモリカードなどの記録媒体が組み込まれている場合には、撮影された画像データに撮影条件情報及び撮影日時情報を付加した画像ファイルが信号処理部４ｂで生成され、信号処理部４ｂ内の記憶部に一時的に保持してから記憶媒体にファイル名とファイルの更新日時を付加して書き込むようにも設定ができる。この場合には、ファイル名はデジタルカメラが昇順に振るので、眼科用ファイリングシステムはファイルの更新時刻とファイル名を基に画像ファイルを入力して画像管理データベースに登録する。以下、眼科用ファイリングシステムがファイル名を振ることを前提に説明する。
【００１５】
図２において、ＡからＣは時間軸で右へ向かって時間が進むように記述している。Ａは眼底カメラ本体２で撮影が行われるタイミングを表し、Ｂは撮影したことによる画像ファイルがデジタルカメラ４で生成されるタイミングを表し、Ｃはデジタルカメラ４で生成された画像ファイルがＣＰＵユニット６に転送されて、画像ファイリングシステムに登録されるタイミングを表し、縦の破線の間隔が１秒間を表している。
【００１６】
撮影の流れを説明すると、この例では７コマの撮影をしていて、最初の１秒では撮影番号１が行われ、次の１秒では撮影番号２、３、４と１秒間に３回の撮影が行われ、その後は毎秒１コマの間隔で撮影している。軸Ａの撮影番号ｎ番目、軸Ｂのｎ番目、軸Ｃのｎ番目のデータがそれぞれ同じ画像に対応している、撮影からファイリングシステムにおいて登録されるまでに、転送、処理などの時間遅れが生ずることを表している。
【００１７】
図３は図２で撮影され生成された画像ファイルについての説明図である。撮影番号Ｎｏ．と図２の軸Ａの撮影番号が対応している。撮影番号順に、画像ファイル「ＡＢＣ−１２３４．ｊｐｇ　２００１／０６／２５　１０：２３：４９」から、「ＡＢＣ−１２４０．ｊｐｇ　２００１／０６／２５　１０：２３：５３」のように、ファイリングシステムでファイル名が付加される。前半がファイル名で、後半が撮影日時情報であり、「２００１／０６／２５」は日付、「１０：２３：５３」は時分秒である。ファイル名は撮影した順番と一致するように、昇順に振られるためソートした際時間軸と同じように並ぶ。
【００１８】
この中で、撮影番号２〜４の画像ファイルは同じ１秒の間に撮影されたので、ファイルの作成情報が同じ「１０：２３：５０」になっている。これでは画像ファイリングシステムに登録できないため、先ず同じ時間のファイル数を数え、その数で１秒を分割する。
【００１９】
この例では、同じ時間のファイルが３個あるので、１秒を３で割った３３ミリ秒を撮影間隔として割り振る操作を行う。その結果として、撮影番号２〜４に対応する画像ファイルを画像ファイリングに登録するときに、撮影時間は「２００１／０６／２５　１０：２３：５０．００」、「２００１／０６／２５　１０：２３：５０．３３」、「２００１／０６／２５　１０：２３：５０．６６」として登録される。また、１秒間に１コマ撮影された画像は、秒の桁の下にミリ秒情報として「．００」が付加される。
【００２０】
図４は画像ファイルを撮影した順番に画像ファイリングシステムに転送しない場合の説明図である。この場合には、撮影した画像ファイルは一度デジタルカメラ４内の記録媒体に記録してから、任意の画像ファイルを画像ファイリングシステムに転送する。ファイル名はデジタルカメラ４内で撮影順に昇順に振られる。
【００２１】
図４の軸Ａにおいて、撮影番号２、３、４は１秒間３コマで撮影され、撮影番号５、６が１秒間２コマで撮影された場合の例である。図４の軸Ａのように撮影が行われ、軸Ｂのようにデジタルカメラ４の内部に画像ファイルが生成される。軸Ｃはファイリングシステムへ取り込むタイミングを示している。
【００２２】
図４では、秒間数コマ撮影に拘らず、秒間の最新画像ファイルを転送する方法により、画像ファイル１、４、６が先に転送され、後から残りの画像ファイルを転送している。残りのファイルは必ずしもファイルの生成順とは限らない。そこで、図５に示すように、一旦ファイル名でソートしてファイルの生成順に並べてから、同一時刻のファイルがあるかどうか判断する。
【００２３】
この例では、「ＡＢＣ−１２３５．ｊｐｇ」、「ＡＢＣ−１２３６．ｊｐｇ」、「ＡＢＣ−１２３７．ｊｐｇ」が同じ時間、「ＡＢＣ−１２３８．ｊｐｇ」と「ＡＢＣ−１２３９．ｊｐｇ」が同じ時間なので、先述した内容と同じ処理を行い、前者のファイルには３３ミリ秒間隔で撮影されたようにミリ秒を加え、後者のファイルには５０ミリ秒を加える。この結果、図５の右側のファイルとして、画像データベースに登録される。
【００２４】
図６は撮影の流れを示すための工程を説明するためのフローチャート図である。先ず、ステップＳ１００で画像ファイリングシステムのＣＰＵユニット６とデジタルカメラ４の時間を合わせる。これによって、デジタルカメラ４と画像ファイリングシステムとの時間が一致する。ステップＳ１０１で実際に複数回の撮影が行われる。
【００２５】
ステップＳ１０２で画像ファイルが転送された順番に昇順のファイル名が付加され、ステップＳ１０３で画像ファイリング側で入力した画像ファイルをファイル名でソートがかけられる。これで撮影順に並び替えられる。
【００２６】
ステップＳ１０４で同一撮影時刻があるかを調べ、ステップＳ１０５で同一時刻のファイルがあれば、ステップＳ１０６に進み、なければステップＳ１０８に進む。同一時刻のファイルがあれば、ステップＳ１０６で１秒を撮影した数で分割して分割時間を求める。ステップＳ１０７で分割した時刻情報を同一ファイルの撮影時刻情報に加え、ステップＳ１０４から再度ループさせ、同一時刻ファイルに付いて同様の処理を繰り返す。
【００２７】
処理が終わると、ステップＳ１０８で画像ファイリングのデータベースに、画像ファイル及び更新された撮影日時情報で登録が行われる。登録が行われると、データベースで管理されたファイル名が新たに付される。
【００２８】
図７は他の実施の形態の説明図である。この実施の形態では、撮影画像ファイルが転送される度に、秒桁の下に１０ミリ秒桁を付加し、同一時刻の画像ファイルがあると判断される毎に、作成時間を変更処理してゆく。撮影番号１、２が行われ、更に撮影番号３が行われたとき、撮影番号３は撮影番号２と同じ時刻「１０：２３：５０．００」であるため、同一時刻のファイルが２枚になるので、撮影番号３に対しては「１０：２３：５０．５０」と時間を変更する。
【００２９】
次に、撮影番号４が行われるが、撮影番号２と同じ時刻であるため、同一時刻のファイルが３枚になるので、再度時間を変更する。その結果、撮影番号３に対しては「１０：２３：５０．３３」、撮影番号４に対しては「１０：２３：５０．６６」と更新する。その後に撮影番号５が行われ、撮影番号２と同じ時刻であるため同一時刻のファイルが４枚になるので、再度時間を変更する。
【００３０】
その結果、撮影番号３、４、５のファイル作成時刻は、それぞれ「１０：２３：５０．２５」、「１０：２３：５０．５０」、「１０：２３：５０．７５」に変更される。この方式は撮影順にファイルが転送される場合には、ファイルを一旦記憶しておく必要がないため、効率良く処理することができる。
【００３１】
このように、同じ撮影日付時間の画像ファイルが複数枚ある場合に、先ずファイル名でソートし、同一時刻の画像ファイルがあると、同一画像ファイルの枚数で例えば１秒を等分して、その割合の時間を同一ファイルの撮影日付時間に加える処理を行い、実用上問題のない時間精度にしてから画像ファイリングシステムで管理する。
【００３２】
【発明の効果】
以上説明したように本発明に係る眼科用撮像装置は、撮影機器で生成された同一時刻情報を持つ複数枚の画像ファイルを、実用上問題のない時間精度で画像を管理できる。更に、同一時刻画像の読影を行う際も間違いをなくし、正確な読影が可能になる。
【図面の簡単な説明】
【図１】全体のブロック構成図である。
【図２】タイミングチャート図である。
【図３】画像ファイルの時刻情報の説明図である。
【図４】別のタイミングチャート図である。
【図５】別の画像ファイルの時刻情報の説明図である。
【図６】フローチャート図である。
【図７】他の実施の形態の時刻情報の説明図である。
【符号の説明】
１　基台
２　眼底カメラ本体
３　対物レンズ鏡筒
４　デジタルカメラ
６　ＣＰＵユニット
７　モニタ
【図１】
2004105594.tif 000003
【図２】
2004105594.tif 000004
【図３】
2004105594.tif 000005
【図４】
2004105594.tif 000006
【図５】
2004105594.tif 000007
【図６】
2004105594.tif 000008
【図７】
2004105594.tif 000009